(57)【要約】【課題】雨水流出抑制施設Ａにおいて、後作業部でライフライン２１を埋設するための水平孔を掘削したようなときに、雨水貯留槽１０の支持基盤が消失することで雨水貯留槽１０を構成する最下段の樹脂製ブロック３１ａが落下するのを防止する。【解決手段】雨水を一時的に貯留することのできる空間を備えた樹脂製ブロック３１の多数枚が面方向および上下方向に配置された構成を備える雨水貯留槽１０が地中に埋設されてなる雨水流出抑制施設Ａにおいて、雨水貯留槽１０の最下段を構成する樹脂製ブロック３１ａ同士を連結部材４０によって個々に下方に落下しない状態に互いに固定しておく。【選択図】図２
2013155483.tif 000002
【特許請求の範囲】
【請求項１】
雨水を一時的に貯留することのできる空間を備えた樹脂製ブロックの多数枚が面方向および上下方向に配置された構成を備える雨水貯留槽が地中に埋設されてなる雨水流出抑制施設であって、
前記雨水貯留槽の最下段を構成する樹脂製ブロック同士は連結部材を介して下方に落下しない状態に互いに固定されていることを特徴とする雨水流出抑制施設。
【請求項２】
前記雨水貯留槽を構成する樹脂製ブロックは凸部からなる列が一定の間隔を保持して多列に平行に形成された構成を備えており、前記最下段を構成する樹脂製ブロック同士は、前記凸部と凸部の間に形成される凹溝部分同士を前記連結部材が固定することで、下方に落下しない状態に互いに固定されていることを特徴とする請求項１に記載の雨水流出抑制施設。
【請求項３】
前記連結部材は配置された樹脂製ブロックの少なくとも３枚にわたる長さを備えることを特徴とする請求項２に記載の雨水流出抑制施設。
【請求項４】
前記連結部材は前記凹溝部分の断面形状にほぼ沿った断面形状を持つ樋状部材であることを特徴とする請求項３に記載の雨水流出抑制施設。
【請求項５】
前記雨水貯留槽は道路の路線方向に沿って地中に埋設されており適所において管理桝を兼ねた集水桝または排水桝に接続していること特徴とする請求項１ないし４のいずれか一項に記載の雨水流出抑制施設。
【請求項６】
前記雨水貯留槽の下方の地中に雨水貯留槽と交差する方向に走るライフラインが埋設されていること特徴とする請求項１ないし５のいずれか一項に記載の雨水流出抑制施設。
【発明の詳細な説明】
【技術分野】
【０００１】
本発明は地中に埋設された雨水流出抑制施設に関する。
【背景技術】
【０００２】
集中豪雨が発生したときに、道路側溝から雨水が溢れ出て道路が冠水するのを防止するために、また、中小河川の排水能力を上回る規模の雨水が短時間で河川に流入するのを防止するために、地中に貯水槽あるいは浸透槽を埋設しておき、そこに道路側溝を流れる雨水を一時的に貯留できるようにした雨水流出抑制施設を設けることが都市部などで行われている。
【０００３】
施工が容易であることと、雨水貯留用の大きな空間を確保し易いことから、雨水を一時的に貯留することのできる空間を備えた樹脂製ブロックの多数枚を面方向および上下方向に配置して貯水槽あるいは浸透槽とすることが多く行われており、その例が特許文献１あるいは特許文献２に記載されている。図８は、雨水を一時的に貯留することのできる空間を備えた樹脂製ブロックの一例を説明しており、この樹脂製ブロック３１は、下端が開放した箱状部３２ａの複数個が間隔を空けながらＸ方向に配列した凸部からなる列３２が、Ｘ方向に直交するＹ方向に間隔を空けながら必要列数だけ配列した構成を備えている。必要な場合には、異なった大きさの複数個の樹脂製ブロック３１を凸部からなる列３２の方向が同じ方向となるように寄せ集めて樹脂製ブロック３１とされる。そして、樹脂製ブロック３１の多数枚を、前記凸部からなる列３２の方向が交互に直角に交差した姿勢で上下方向に積み上げることにより、貯水槽あるいは浸透槽とされる。
【０００４】
また、そのような貯水槽あるいは浸透槽を道路の路線方向に沿って地中に埋設するとともに、埋設された雨水貯留槽を管理桝を兼ねた集水桝または排水桝に接続して、道路側溝からの雨水を集水桝を介して貯水槽あるいは浸透槽に導入し、浸透槽の場合には時間と共に雨水を地中に浸透させ、また貯水槽の場合には排水桝を介して制限された量の雨水を本下水管等に徐々に排水するようにした雨水流出抑制施設も、特許文献３等に記載されている。
【０００５】
さらに、図８に示した形態の樹脂製ブロックを用いて貯水槽あるいは浸透槽を構成し、凸部と凸部の間に形成される凹溝部分に凹溝部分の断面形状にほぼ沿った断面形状を持つ樋状部材を挿通しておき、雨水と共に槽内に流入してくる砂やごみを樋状部材で受け止めるようにした雨水流出抑制施設も特許文献４に記載されている。この雨水流出抑制施設では、管理桝を兼ねる集水桝あるいは排水桝から樋状部材内に加圧水あるいは加圧空気を送給する、あるいは樋状部材内を負圧吸引することで、樋状部材内に堆積した砂やごみを槽外に容易に排斥することが可能となる。
【先行技術文献】
【特許文献】
【０００６】
【特許文献１】特開２００７−１６５８２号公報
【特許文献２】特開２００９−２４４４７号公報
【特許文献３】特開２０１１−２０２４６８号公報
【特許文献４】特開２０１０−２２９８０３号公報
【発明の概要】
【発明が解決しようとする課題】
【０００７】
図７に示すように、上記した貯水槽あるいは浸透槽である雨水貯留槽１０は、雨水貯留空間を備えた樹脂製ブロック３１の所要枚数が面方向に敷き詰められ、その上に同じ形態の樹脂製ブロック３１を多段に積層して積層体１１とし、該樹脂製ブロックの積層体１１の全体を透水性シート１２で包み込むことで浸透槽とされ、また非透水性シートで包み込むことで貯水槽とされる。そのような雨水貯留槽は、底面に砕石１３を敷き詰めることで平坦面とされた掘削溝内に設置され、埋め戻しを行うことで地中に埋設された雨水貯留槽１０となる。なお、図７で、Ｌは地表面である。
【０００８】
一般に、樹脂製ブロックの積層体において、上下に位置する樹脂製ブロック同士は適宜の連結部材を用いることで面方向での互いの位置決めがなされるか（特許文献１に記載の雨水流出抑制施設の場合)、上下に位置する樹脂製ブロック同士を面方向に位置をずらして積層することで互いの面方向での位置決めがなされる（特許文献２〜４に記載の雨水流出抑制施設の場合)。しかし、いずれの積層体においても、最下段に位置する樹脂製ブロック３１ａは上位に位置する樹脂製ブロック３１ｂと上下方向では互いに連結されてなく、下方の支持基盤がなくなると、最下段の樹脂製ブロック３１ａは下方に向けて落下してしまう恐れがある。
【０００９】
施工時に、樹脂製ブロックの積層体１１を透水性シート１２や非透水性シートで包み込む作業が行われるが、緩みのある状態で包み込まれるのが普通であり、包み込んでいる透水性シート１２や非透水性シートでもって、前記樹脂製ブロック３１ａの落下を確実に阻止することはできない。そして、落下した場合に、シート１２に過負荷がかかりシート１２に損傷を生じさせる恐れがある。
【００１０】
現在施工されている雨水流出抑制施設において、雨水貯留槽１０の底面は安定した支持基盤上に乗っており、また支持基盤が喪失することはないので、前記したような最下段の樹脂製ブロックが下方に向けて落下するようなことは起こらない。しかし、将来、都市化が進むにつれて、既に埋設されている雨水貯留槽１０を横断する状態で上下水管のようなライフライン２１を配設することが必要となることが起こり得る。そのような場合、図７に示すように、既存の雨水貯留槽１０の直下に所要断面積の水平孔２０を掘削し、該掘削孔２０内にライフライン２１を通した後、水平孔２０の埋め戻しを行う作業が必要となる。その作業を行う際に、前記水平孔２０の掘削によって、雨水貯留槽１０を支持する支持基盤が喪失してしまうことが起こり得る。
【００１１】
図７に示すように、支持基盤の喪失により最下段の樹脂製ブロック３１ａが落下すると、水平掘削孔２０の埋め戻し作業が困難となるばかりでなく、落下した状態のままで埋め戻された場合、構造体としての雨水貯留槽１０に構造欠陥が生じ、上載荷重が集中的に作用する箇所が生じて、そこから破損を引き起こす恐れがある。そのために、雨水流出抑制施設において、施工後に、雨水貯留槽を支持する支持基盤が一時的に喪失することが起こった場合にも雨水貯留槽に構造的欠陥を生じさせないこと、具体的には、最下段の樹脂製ブロックが下方に落下しないようにすることが求められる。
【００１２】
本発明は、上記の要請に応えるものであり、現在、実際に使用されている樹脂製ブロックをそのまま用いながら、一時的に雨水貯留槽を支持する支持基盤が喪失することが起こった場合でも、最下段の樹脂製ブロックが下方に落下することがない構成を備えた雨水貯留槽を持つ雨水流出抑制施設を開示することを課題とする。
【課題を解決するための手段】
【００１３】
本発明による雨水流出抑制施設は、雨水を一時的に貯留することのできる空間を備えた樹脂製ブロックの多数枚が面方向および上下方向に配置された構成を備える雨水貯留槽が地中に埋設されてなる雨水流出抑制施設であって、前記雨水貯留槽の最下段を構成する樹脂製ブロック同士は連結部材を介して下方に落下しない状態に互いに固定されていることを特徴とする。また、上記の雨水流出抑制施設であって、前記雨水貯留槽の下方の地中に雨水貯留槽と交差する方向に走るライフラインが埋設されていることを特徴とする。
【００１４】
上記の雨水流出抑制施設では、雨水貯留槽を構成する樹脂製ブロックのうち、最下段に位置する樹脂製ブロック同士は、適宜の連結部材を介して下方には落下しない状態に相互に固定されている。そのために、地中に埋設されている雨水貯留槽の直下に、例えばライフライン埋設のための水平孔を掘削することが必要となり、掘削により雨水貯留槽を下方から支持する支持基盤が部分的に喪失した場合でも、喪失した支持基盤の場所に位置している樹脂製ブロックは、支持基板上に乗っている隣接する樹脂製ブロックと連接部材により固定されており、下方に向けて落下することはない。
【００１５】
そのために、水平孔の掘削後でも、その近傍の雨水貯留槽は掘削前の姿勢をほぼそのまま維持することができ、構造的欠陥が生じることはない。また、樹脂製ブロック積層体を包み込んでいる透水性シートあるいは非透水性シートにも部分的に過負荷が作用することもない。それにより、樹脂製ブロック積層体としての高い安定性が維持されると共に、ライフライン等を敷設した後での水平孔の埋設作業も容易となる。
【００１６】
施工に当たっては、従来の雨水流出抑制施設における雨水貯留槽の場合と同様、所要幅と深さの掘削孔を所要長さにわたって掘削する。掘削溝底面に砕石等を敷き詰めた後、透水性シートあるいは非透水性シートを配置する。配置した透水性シートあるいは非透水性シートの上に、所要枚数の前記樹脂製ブロックを面方向に敷き詰め、隣接する樹脂製ブロック同士を適宜の連接部材によって下方に落下しないように固定する。相互に固定した最下段の樹脂製ブロックの上に必要な段数だけ樹脂製ブロックを積み上げ、全体を透水性シートあるいは非透水性シートで包み込む。透水性シートで包み込む場合には、雨水貯留槽は浸透槽となり、非透水性シートで包み込む場合には、雨水貯留槽は貯水槽となる。最後に掘削溝を埋め戻すことで、雨水貯留槽は地中に埋設された状態となる。地中に埋設された雨水貯留槽に対して、従来知られた雨水流出抑制施設と同様に、道路側溝からの導水路等を接続し、また必要な場合には、雨水貯留槽からの排水路を接続することで、雨水流出抑制施設とされる。
【００１７】
本発明による雨水流出抑制施設において、前記雨水貯留槽を構成する樹脂製ブロックには、雨水を一時的に貯留することのできる空間を備えた形状であることを条件に、任意形状の樹脂製ブロックを用いることができる。一例として、前記特許文献２〜４に記載されまた図８にも示したような、凸部からなる列が一定の間隔を保持して多列に平行に形成された構成を備えた樹脂製ブロックが上げられる。施工に当たって、面方向に隣接している最下段を構成する樹脂製ブロックの前記凸部と凸部の間に形成される凹溝部分同士を跨ぐようにして前記連結部材を配置し、ドリルビス等によって連結部材を面方向に隣接する樹脂製ブロックの双方に対して固定する。それにより、容易に隣接する樹脂製ブロック同士を、個々には下方には落下しない状態で確実に連結固定することができる。
【００１８】
その際に、用いる連結部材の長さは、少なくとも隣接する２つの樹脂製ブロック同士を固定できる長さであれば、所期の目的を達成することができる。連結部材を所要の場所に配置する作業量を少なくするために、隣接配置された樹脂製ブロックの少なくとも３枚にわたる長さを備えた連結部材を用いることもできる。その場合に、前記連結部材として、前記凹溝部分の断面形状にほぼ沿った断面形状を持つ樋状部材を用いることもできる。この態様では、連結部材を兼ねる樋状部材内に堆積した雨水と共に雨水貯留槽内に流入した砂やごみは、適時に樋状部材に加圧水あるいは加圧空気を送り込むことで、または負圧吸引することで、容易に雨水貯留槽から外部に排出することが可能となる。
【００１９】
本発明による雨水流出抑制施設において、雨水貯留槽の設置場所に制限はないが、一つの態様として、特許文献３に記載のように、雨水貯留槽は道路の路線方向に沿って地中に埋設されている態様が挙げられる。この態様において、路線方向に沿って地中に埋設された雨水貯留槽には、適所において適数の管理桝を兼ねた集水桝または排水桝が接続していることは、より好ましい態様となる。この態様では、道路側溝からの雨水は管理桝を兼ねた集水桝から雨水貯留槽に流入し、雨水貯留槽が浸透槽の場合には時間と共に雨水は地中に浸透していく。また雨水貯留槽が貯水槽の場合には排水桝を介して制限された量の雨水が本下水管等に徐々に排水していく。さらに、この態様では、特許文献４に記載のように、管理桝を兼ねた集水桝または排水桝を利用して、加圧水ボースまたは加圧空気ホースさらにはバキュームホースを落とし込み、樋状部材である前記連結部材内に、加圧水あるいは加圧空気を送り込む、または負圧吸引することで、樋状部材内に堆積する砂やごみを雨水貯留槽から容易に外部に排出することが可能となる。
【発明の効果】
【００２０】
本発明による雨水流出抑制施設では、従来用いられていた樹脂製ブロックをそのまま用いながら、施工した後に、雨水貯留槽の直下に例えばライフライン埋設のための水平孔などを掘削することが必要となった場合でも、支持基盤の部分的喪失により、最下段の樹脂製ブロックが下方に向けて落下するのを確実に阻止することができる。それにより、水平孔などの掘削および埋め戻し作業が容易になると共に、雨水貯留槽に構造的欠陥が生じるのも確実に回避することができる。
【図面の簡単な説明】
【００２１】
【図１】本発明による雨水流出抑制施設の第１の実施の形態の施工途中の状態を側面から見て示す図。
【図２】図１のＩＩ−ＩＩ線に沿う断面図。
【図３】図１に示す雨水流出抑制施設における雨水貯留槽を構成する最下段の樹脂製ブロック群を上から見て示す図。
【図４】本発明による雨水流出抑制施設の第２の実施の形態の施工途中の状態を側面から見て示す図。
【図５】図４に示す雨水流出抑制施設における雨水貯留槽を構成する最下段の樹脂製ブロック群を上から見て示す図。
【図６】本発明による雨水流出抑制施設の第３の実施の形態の施工途中の状態を側面から見て示す図。
【図７】従来の雨水流出抑制施設で起こり得る不都合を説明するための図。
【図８】雨水流出抑制施設を構成する樹脂製ブロックの一例を説明するための図。
【発明を実施するための最良の形態】
【００２２】
以下、図面を参照しながら、本発明による雨水流出抑制施設を実施の形態に基づき説明する。
［第１の実施の形態］
図１〜図３は、本発明による雨水流出抑制施設Ａの第１の実施の形態Ａ１を示している。図１において、Ｌは地表面であり、地表面Ｌから所要の深さ位置に、雨水貯留槽１０が埋設されている。雨水貯留槽１０は浸透槽でもよく貯水槽でもよい。また、雨水貯留槽１０は、雨水を一時的に貯留することのできる空間を備えた樹脂製ブロックの多数枚が面方向および上下方向に配置された構成を備えるものであればよい。図１に示した雨水貯留槽１０では、図８に示したような、凸部からなる列３２が一定の間隔を保持して多列に平行に形成された構成を備えた樹脂製ブロック３１の必要枚数が、面方向および上下方向に配置されて構成されている。この例において、雨水貯留槽１０の全体は、不織布のような透水性シート１２により全体が包み込まれており、浸透槽として機能している。このような雨水貯留槽１０自体は従来知られたものである。
【００２３】
本発明による雨水貯留槽１０においては、図３に最下段の樹脂製ブロック３１ａの群を上から見て示すように、面方向に隣接する樹脂製ブロック３１ａ１と樹脂製ブロック３１ａ２とは、連結部材４０によって、個々に下方に自由落下しないように、互いに固定されている。より具体的には、樹脂製ブロック３１は、凸部からなる列３２が一定の間隔を保持して多列に平行に形成された構成を備えており、最下段を構成する隣接する樹脂製ブロック３１ａ１と樹脂製ブロック３１ａ２は、前記凸部からなる列３２と凸部からなる列３２の間に形成される凹溝３３（図２参照）の部分同士を前記連結部材４０で連結固定することで、互いに固定されている。
【００２４】
第１の実施の形態Ａ１において、前記連結部材４０は平板状の部材であり、少なくとも２つの隣接する樹脂製ブロック３１ａ１と樹脂製ブロック３１ａ２にわたるようにして凹溝３３の底部に前記平板状の連結部材４０を配置し、その後、ドリルビス４１により、配置した平板状の連結部材４０を樹脂製ブロック３１ａ１と樹脂製ブロック３１ａ２とに固定することで、隣接する２つの樹脂製ブロック３１ａ１、３１ａ２は連結一体化されている。
【００２５】
連結部材４０は、雨水より容易には腐食しない材料で作られることが必要であり、一例として、塩化ビニル系樹脂、ポリプロピレン系樹脂、ポリエチレン系樹脂のような樹脂材料、ステンレスのような金属材料が挙げられる。雨水貯留槽１０を地中に埋設して雨水流出抑制施設Ａ１とする施工手順は、前記した各特許文献に記載のような施工手順を採用すればよい。
【００２６】
施工後に、埋設されている雨水貯留槽１０を横断する状態で上下水管のようにライフライン２１を配設する改修工事が必要になったと仮定する。その場合、少なくとも既存の雨水貯留槽１０の直下に所要断面積の水平孔２０を掘削する必要がある。水平孔２０は、図１に示すように、浸透槽１０の支持基盤である砕石１３およびその下方の地盤１４を掘削することで形成されるが、砕石１３およびその下方の地盤１４を掘削することで、雨水貯留槽１０は安定した支持基盤を失うこととなる。
【００２７】
しかし、前記したように、本発明による雨水貯留槽１０では、最下段を構成する樹脂製ブロック３１ａ同士は連結部材４０を介して下方に落下しない状態に互いに固定されており、支持地盤を喪失したとしても、図７に示したような、最下段を構成する樹脂製ブロック３１ａが掘削された水平孔２０側に落下した状態となることはない。掘削した水平孔２０内に所要のライフライン２１を敷設し、その後、水平孔２０を埋め戻すことで、雨水流出抑制施設の改修施工は終了する。
【００２８】
なお、連結部材４０は、図３に示すように、複数枚の樹脂製ブロック３１ａにわたる長さのものであってもよく、単に隣接する樹脂製ブロック３１ａ同士の接合部近傍のみを連結できるだけの長さのものであってもよい。
【００２９】
［第２の実施の形態］
図４、図５は、本発明による雨水流出抑制施設Ａの第２の実施の形態Ａ２を示している。第２の実施の形態Ａ２では、連結部材４０として、平板状ではなく、最下段の樹脂製ブロック３１ａにおける凸部からなる列３２と凸部からなる列３２の間に形成される前記凹溝部分３３の断面形状にほぼ沿った断面形状を持つ樋状部材４０ａを用いている点で、第１の実施の形態Ａ１と相違している。他の構成は第１の実施の形態Ａ１と同じであり、同じ符号を付して説明は省略する。なお、樹脂製ブロックにおける凸部と凸部の間に形成される凹溝部分に凹溝部分３３の断面形状にほぼ沿った断面形状を持つ樋状部材を挿通するようにした雨水貯留槽は、前記した特許文献４に記載されており、第２の実施の形態Ａ２はその技術を利用している。
【００３０】
この態様の雨水流出抑制施設Ａ２では、雨水と共に雨水貯留槽１０内に流入してくる砂やごみは、樋状部材４０内に堆積していくが、樋状部材４０ａ内に加圧水あるいは加圧空気を送給する、あるいは樋状部材４０ａ内を負圧吸引することで、樋状部材４０ａ内に堆積した砂やごみを、雨水貯留槽１０の外に容易に排斥することが可能となる。
【００３１】
［第３の実施の形態］
図６は、本発明による雨水流出抑制施設Ａの第３の実施の形態Ａ３を示している。第３の実施の形態Ａ３では、図示しないに道路の路線方向に沿って、複数個の雨水貯留槽１０が地中に埋設されており、適所において、埋設された雨水貯留槽１０には管理桝を兼ねた集水桝５０および（または）排水桝（不図示）が接続している。図６に示す例において、適数の雨水貯留槽１０ａ、１０ｂ、１０ｃ、・・が直列に接続しており、隣接する各雨水貯留槽同士は、上位連通管３４および下部連通管３５によって、互いの内部の空間が連通状態となるようにして接続されている。
【００３２】
雨水貯留槽１０ａには、集水桝を兼ねた管理桝５０が、上位接続路５１および下位接続路５２を介して接続している。そして、集水桝を兼ねた管理桝５０には図示しない道路側溝からの雨水が流入するようになっている。集水桝を兼ねた管理桝５０に流入した雨水は、下位接続路５２を通して雨水貯留槽１０ａにおける構成する樹脂製ブロック３１ａにおける前記凹溝３３内に流入し、また下部連通管３５を通して隣接する雨水貯留槽１０ｂ、１０ｃ、・・における構成する樹脂製ブロック３１ａにおける前記凹溝３３内に流し、それぞれ貯留される。上位接続路５１および上位連通管３４は脱気路として機能する。
【００３３】
雨水流出抑制施設Ａの第３の実施の形態Ａ３では、集水桝を兼ねた管理桝５０内に加圧水ボースまたは加圧空気ホースさらにはバキュームホースを落とし込むことができ、そこから雨水貯留槽１０ａの前記連結部材４０を配置した前記凹溝３３内に、加圧水や加圧空気を供給する、または負圧吸引することを容易に行うことができる。そのことから、図６には示されないが、連結部材４０として第２の実施の形態Ａ２で用いた樋状部材４０ａを用い、かつ、樋状部材４０ａを雨水貯留槽１０ｂ、１０ｃ、・・に連続した状態で配置することにより、雨水貯留槽１０ｂ、１０ｃ、・・内に堆積した砂やごみを雨水貯留槽から外部に排出することが一層容易となる。
【符号の説明】
【００３４】
Ａ、Ａ１、Ａ２、Ａ３…本発明による雨水流出抑制施設、
１０…雨水貯留槽、
２０…ライフラインを埋設するための水平孔
２１…ライフライン、
３１…雨水貯留槽を構成する樹脂製ブロック、
３１ａ…雨水貯留槽を構成する最下段の樹脂製ブロック、
３２…樹脂製ブロックの凸部からなる列、
３３…凸部からなる列３２と凸部からなる列３２の間に形成される凹溝、
４０、４０ａ…連結部材、
４１…連結部材と樹脂製ブロックを固定するためのドリルビス。
【図１】
2013155483.tif 000003
【図２】
2013155483.tif 000004
【図３】
2013155483.tif 000005
【図４】
2013155483.tif 000006
【図５】
2013155483.tif 000007
【図６】
2013155483.tif 000008
【図７】
2013155483.tif 000009
【図８】
2013155483.tif 000010